(57)【要約】【課題】  本考案は、極めて商品価値の高い画期的な幼児用椅子を提供することを目的とする。【解決手段】  空気の出し入れにより膨縮する平面視Ｕ字状若しくは平面視Ｃ字状の中空体７の中央囲繞部位に座部１が設けられ、中空体７の背面部を背当て部２とし、左右部を肘掛部５Ａ，５Ｂとした幼児用椅子であって、前記中空体７に空気を注入する注入部４が設けられ、この注入部４は、押圧操作により中空体７に空気を注入し得る手動式のポンプ構造が採用されているものである。【選択図】      図１
0003105594.tif 000002
【実用新案登録請求の範囲】
【請求項１】
空気の出し入れにより膨縮する平面視Ｕ字状若しくは平面視Ｃ字状の中空体の中央囲繞部位に座部が設けられ、中空体の背面部を背当て部とし、左右部を肘掛部とした幼児用椅子であって、前記中空体に空気を注入する注入部が設けられ、この注入部は、押圧操作により中空体に空気を注入し得る手動式のポンプ構造が採用されていることを特徴とする幼児用椅子。
【請求項２】
請求項１記載の幼児用椅子において、前記中空体には伸縮可能な筒状部材が連設され、該筒状部材の上面には第一弁孔が設けられ、この第一弁孔には該第一弁孔を開閉する第一弁部材が設けられ、一方、筒状部材内にして中空体には第二弁孔が設けられ、この第二弁孔には該第二弁孔を開閉する第二弁部材が設けられ、筒状部材を押動して縮めた際には、第一弁孔が閉じ且つ第二弁孔が開いて該筒状部材内の空気が中空体に送出され、筒状部材を引動して伸ばした際には、第二弁孔が閉じ且つ第一弁孔が開いて該筒状部材内に空気が導入されるように前記注入部は構成されていることを特徴とする幼児用椅子。
【請求項３】
請求項１，２いずれか１項に記載の幼児用椅子において、前記中空体の背面部に前記注入部を設けたことを特徴とする幼児用椅子。
【考案の詳細な説明】
【技術分野】
【０００１】
本考案は、幼児用椅子に関するものである。
【背景技術】
【０００２】
従来から、例えば実用新案登録第３０４４２３７号や実用新案登録第３０６８４４３号などのビニール製の幼児用椅子（以下、従来例という。）が提案されている。
【０００３】
この従来例は、空気の出し入れにより膨縮する平面視Ｕ字状の中空体を面状の座部の上部に設けて構成されており、この中空体の背面部を背当て部とし、左右部を肘掛部とした構造である。
【０００４】
この従来例は、非常にクッション性に秀れ、背当て部及び肘掛部により身体を柔軟にホールドすることができ、例えば未だ座ることが上手くできない幼児のお座り練習用の椅子として使用されている。
【０００５】
【特許文献１】実用新案登録第３０４４２３７号公報
【特許文献２】実用新案登録第３０６８４４３号
【考案の開示】
【考案が解決しようとする課題】
【０００６】
ところで、この従来例を膨らませる場合、浮き輪と同様、中空体に設けた弁付の空気出入部から口で吹いて注入したり、別途提案されている手動式のポンプ装置（蛇腹状のポンプ本体に空気注入ホースが連設される構造）を利用したりしているが、前者の場合、口で膨らませるのは大変であり（特に女性には重労働である。）、また、後者の場合、ポンプを別途用意しなければならず邪魔であり、また、必要なときに見当たらない場合があるなどの不便な点が多い。
【０００７】
また、このポンプ装置は、中空体に設けられる空気出入部に合った専用のノズルを具備する空気注入ホースを用いないと空気が漏れて良好に注入することができないなどの問題点がある。
【０００８】
本出願人は、上述の問題点を解決する、極めて商品価値の高い画期的な幼児用椅子を考案した。
【課題を解決するための手段】
【０００９】
添付図面を参照して本考案の要旨を説明する。
【００１０】
空気の出し入れにより膨縮する平面視Ｕ字状若しくは平面視Ｃ字状の中空体７の中央囲繞部位に座部１が設けられ、中空体７の背面部を背当て部２とし、左右部を肘掛部５Ａ，５Ｂとした幼児用椅子であって、前記中空体７に空気を注入する注入部４が設けられ、この注入部４は、押圧操作により中空体７に空気を注入し得る手動式のポンプ構造が採用されていることを特徴とする幼児用椅子に係るものである。
【００１１】
また、請求項１記載の幼児用椅子において、前記中空体７には伸縮可能な筒状部材11が連設され、該筒状部材11の上面には第一弁孔10ａが設けられ、この第一弁孔10ａには該第一弁孔10ａを開閉する第一弁部材10ｂが設けられ、一方、筒状部材11内にして中空体７には第二弁孔12ａが設けられ、この第二弁孔12ａには該第二弁孔12ａを開閉する第二弁部材12ｂが設けられ、筒状部材11を押動して縮めた際には、第一弁孔10ａが閉じ且つ第二弁孔12ａが開いて該筒状部材11内の空気が中空体７に送出され、筒状部材11を引動して伸ばした際には、第二弁孔12ａが閉じ且つ第一弁孔10ａが開いて該筒状部材11内に空気が導入されるように前記注入部４は構成されていることを特徴とする幼児用椅子に係るものである。
【００１２】
また、請求項１，２いずれか１項に記載の幼児用椅子において、前記中空体７の背面部に前記注入部４を設けたことを特徴とする幼児用椅子に係るものである。
【考案の効果】
【００１３】
本考案は上述のように構成したから、背当て部及び肘掛部を膨らませる作業が簡易且つ良好に行なわれることになるなど極めて商品価値の高い画期的な幼児用椅子となる。
【考案を実施するための最良の形態】
【００１４】
好適と考える本考案の実施形態を、図面に基づいて本考案の作用を示して簡単に説明する。
【００１５】
本考案は、例えば中空体７に設けた注入部４の押圧操作を繰り返し行なうことで該中空体７に空気を注入して膨らませることができる。
【００１６】
従って、前述した従来例とは異なり、口で吹いて膨らませる必要がなく、注入部４にて簡単な操作で楽に中空体７を膨らませることができ、しかも、この注入部４が中空体７に設けられている為、別途ポンプ装置を用意する必要がなく、いつでも確実に中空体７を膨らませることができ、そして更に、簡易構造故にコスト安にして量産性に秀れることになる。
【００１７】
また、請求項２記載の考案においては、筒状部材11の押動操作と引動操作を繰り返し行なうことで、簡易に且つ確実に中空体７内に空気を注入して膨らませることができる。
【００１８】
また、請求項３記載の考案においては、中空体７の背面部に注入部４を設けたから、この注入部４が使用時（座った際）の邪魔になることがなく、しかも、中空体７内への空気の注入が極めて良好に行なえることになる。
【００１９】
即ち、仮に中空体７の一方の端部（一方の肘掛部５）に注入部４を設けた場合、押圧操作を繰り返し行なった際、この押圧操作によって中空体７に加わる力が偏ってしまいバランスが崩れて良好に空気を注入できない場合が生じ得るが、この点、本考案は、中空体７の中央部位から空気を注入する構成であるから、押圧操作によって中空体７に加わる力が均等に分散されてバランスが保たれ、よって、中空体７内へ空気の注入が極めて良好に行なえることになる。
【実施例】
【００２０】
本考案の具体的な実施例について図面に基づいて説明する。
【００２１】
本実施例は、空気の出し入れにより膨縮する幼児用椅子である。
【００２２】
具体的には、本実施例はビニール製であり、図１に図示したように空気の出し入れにより膨縮する平面視Ｕ字状の中空体７をシート状の座部１の上部に設け、この中空体７の湾曲する中央部位を背当て部２とし、この中央部位の左右に連設する左右部位を肘掛部５Ａ，５Ｂとしている。
【００２３】
また、座部１と左右の肘掛部５Ａ，５Ｂとの間には、正面視Ｔ字状のベルト体８が着脱自在に設けられている。このベルト体８は、座部１に座った幼児が前方に倒れるのを防止する為のものである。
【００２４】
また、背当て部２の上面部には、座部１に座った幼児の頭部を支持する頭部支持部９が設けられており、この頭部支持部９も背当て部２の内部空間と連通して空気の出し入れによって膨縮する中空構造であり、後述する注入部４で背当て部２を膨らませた際、この支持部９も一緒に膨らむことになる。
【００２５】
また、背当て部２には、その外周面に注入部４が設けられている。
【００２６】
この注入部４は、図１〜４に図示したように背当て部２の外周面所定位置に設けた第二弁構造部12の周囲を密閉状態で覆うように筒状部材11を突設し、この筒状部材11の上面部に第一弁構造部10を設けて構成されている。
【００２７】
筒状部材11は、その上面部に指かけ部13が設けられており、この指掛け部13に指を掛けた状態で押し引き操作することで筒状部材11は伸縮する。
【００２８】
第一弁構造部10及び第二弁構造部12は、夫々第一貫通弁孔10ａ，第二貫通弁孔12ａを閉塞する第一弁部材10ｂ，第二弁部材12ｂが該第一貫通弁孔10ａ，第二貫通弁孔12ａに対して一方向へのみ開閉する構造であり、この第一弁部材10ｂ，第二弁部材12ｂは通常閉じ状態となるように設けられ、筒状部材11に設けた指掛け部13に指を掛け、筒状部材11の上面部を押動操作・引動操作して該筒状部材11を伸縮させることで適宜開き状態とする。
【００２９】
具体的には、図３，４に図示したように筒状部材11を押動操作した際、筒状部材11内は高圧状態となり、第一弁構造部10の第一弁部材10ｂは閉じて筒状部材11内の空気が第二弁構造部12の第二弁部材12ｂを押圧し、該第二弁構造部12の第二弁部材12ｂが開放して中空体７内に注入される。
【００３０】
続いて、筒状部材11を引動操作すると、筒状部材11内は減圧状態となり第二弁構造部12の第二弁部材12ｂは閉じて、外気が第一弁構造部10の第一弁部材10ｂを押圧して該筒状部材11内に注入されることになる。
【００３１】
従って、筒状部材11の押し引き操作を繰り返し行なうことで順次中空体７内に空気が注入されることになる。
【００３２】
また、筒状部材11を収縮させた状態で、第一弁構造部10の第一弁部材10ｂ及び第二弁構造部12の第二弁部材12ｂを指などで押圧し、同時に開放させることで、中空体７内に注入された空気を容易に抜くことができる。
【００３３】
本実施例は上述のように構成したから、例えば手で注入部４の押圧操作を繰り返し行なうことで背当て部２及び肘掛部５Ａ，５Ｂに空気を注入して膨らませることができる。
【００３４】
よって、本実施例によれば、前述した従来例とは異なり、口で吹いて膨らませる必要がなく、注入部４にて簡単な操作で楽に背当て部２及び肘掛部５Ａ，５Ｂを膨らませることができ、しかも、この注入部４が中空体７に設けられているもの（専用のもの）である為、別途ポンプ装置を用意する必要がなく、いつでも確実に中空体７を膨らませることができ、そして更に、簡易構造故にコスト安にして量産性に秀れることになる。
【００３５】
また、本実施例は、中空体７の背面部に注入部４を設けたから、この注入部４が使用時（座った際）の邪魔になることがなく、しかも、中空体７内への空気の注入が極めて良好に行なえることになる。
【００３６】
尚、本考案は、本実施例に限られるものではなく、各構成要件の具体的構成は適宜設計し得るものである。
【図面の簡単な説明】
【００３７】
【図１】本実施例を示す斜視図である。
【図２】本実施例に係る要部の斜視図である。
【図３】本実施例に係る要部の概略動作説明図である。
【図４】本実施例に係る要部の概略動作説明図である。
【符号の説明】
【００３８】
１  座部
２  背当て部
４  注入部
５Ａ  肘掛部
５Ｂ  肘掛部
７  中空体
10ａ  第一弁孔
10ｂ  第一弁部材
11  筒状部材
12ａ  第二弁孔
12ｂ  第二弁部材
【図１】
0003105594.tif 000003
【図２】
0003105594.tif 000004
【図３】
0003105594.tif 000005
【図４】
0003105594.tif 000006